(57)【特許請求の範囲】
【請求項１】
送信機会における並列の多入力多出力（ＭＩＭＯ）送信に関する情報を含む開始フレームを送信することと、ここにおいて、前記開始フレームは前記ＭＩＭＯ送信の開始時間を示し、送信機ごとに送信パワーの必要条件を指定する、ここにおいて、前記送信パワーの必要条件は少なくとも１つの送信機における送信パワーの低減を含む、
前記開始フレームに含まれる前記情報に従って、１つ又は複数の並列ＭＩＭＯストリームを送信することと、
を具備し、
前記ＭＩＭＯ送信はサウンディングフレームを具備し、前記サウンディングフレームによって提供されるフィードバックは、前記サウンディングフレームに基づいて生成されるビームフォーミング行列またはチャネル行列のうちの少なくとも１つを具備する無線通信のための方法。
【請求項２】
前記情報は、各ＭＩＭＯ送信に関する空間ストリームの数、各ＭＩＭＯ送信に関する送信アンテナの数、及び各ＭＩＭＯ送信に関する受信アンテナの数のうちの少なくとも１つを具備する、請求項１に記載の方法。
【請求項３】
前記情報は、前記ＭＩＭＯ送信を送信するための１つ又は複数のデバイス及び前記ＭＩＭＯ送信を受信するための１つ又は複数のデバイスの識別を具備する、請求項１に記載の方法。
【請求項４】
送信機会における並列の多入力多出力（ＭＩＭＯ）送信に関する情報を含む開始フレームを受信することと、ここにおいて、前記開始フレームは前記ＭＩＭＯ送信の開始時間を示し、送信機ごとに送信パワーの必要条件を指定する、ここにおいて、前記送信パワーの必要条件は少なくとも１つの送信機における送信パワーの低減を含む、
前記開始フレームに含まれる前記情報に従って、１つ又は複数の並列ＭＩＭＯストリームを送信することと、
を具備し、
前記ＭＩＭＯ送信はサウンディングフレームを具備し、前記サウンディングフレームに基づいて生成されるビームフォーミング行列またはチャネル行列のうちの少なくとも１つを受信することをさらに具備する無線通信のための方法。
【請求項５】
前記情報は、各ＭＩＭＯ送信に関する空間ストリームの数、各ＭＩＭＯ送信に関する送信アンテナの数、及び各ＭＩＭＯ送信に関する受信アンテナの数のうちの少なくとも１つを具備する、請求項４に記載の方法。
【請求項６】
前記情報は、前記ＭＩＭＯ送信を送信するための１つ又は複数のデバイス及び前記ＭＩＭＯ送信を受信するための１つ又は複数のデバイスの識別を具備する、請求項５に記載の方法。
【請求項７】
送信機会における並列の多入力多出力（ＭＩＭＯ）送信に関する情報を含む開始フレームを受信することと、ここにおいて、前記開始フレームは前記ＭＩＭＯ送信の開始時間を示し、送信機ごとに送信パワーの必要条件を指定する、ここにおいて、前記送信パワーの必要条件は少なくとも１つの送信機における送信パワーの低減を含む、
前記開始フレームに含まれる前記情報に従って、１つ又は複数の並列ＭＩＭＯストリームを受信することと、
を具備し、
前記ＭＩＭＯ送信はサウンディングフレームを具備し、前記サウンディングフレームに基づいて生成されるビームフォーミング行列またはチャネル行列のうちの少なくとも１つを受信することをさらに具備する無線通信のための方法。
【請求項８】
前記情報は、各ＭＩＭＯ送信に関する空間ストリームの数、各ＭＩＭＯ送信に関する送信アンテナの数、及び各ＭＩＭＯ送信に関する受信アンテナの数のうちの少なくとも１つを具備する、請求項７に記載の方法。
【請求項９】
前記開始フレームに含まれる前記情報に従って、前記１つ又は複数の並列ＭＩＭＯストリームを受信することは、前記情報で識別される空間ストリームの合計数に対応するアンテナの数を利用してＭＩＭＯストリームを受信することを具備する、請求項８に記載の方法。
【請求項１０】
送信機会における並列の多入力多出力（ＭＩＭＯ）送信に関する情報を含む開始フレームを送信するためのロジックと、ここにおいて、前記開始フレームは前記ＭＩＭＯ送信の開始時間を示し、送信機ごとに送信パワーの必要条件を指定する、ここにおいて、前記送信パワーの必要条件は少なくとも１つの送信機における送信パワーの低減を含む、
前記開始フレームに含まれる前記情報に従って、１つ又は複数の並列ＭＩＭＯストリームを送信するためのロジックと、
を具備し、
前記ＭＩＭＯ送信はサウンディングフレームを具備し、前記サウンディングフレームによって提供されるフィードバックは、ビームフォーミング行列またはチャネル行列のうちの少なくとも１つを具備する無線通信のための装置。
【請求項１１】
前記情報は、各ＭＩＭＯ送信に関する空間ストリームの数、各ＭＩＭＯ送信に関する送信アンテナの数、及び各ＭＩＭＯ送信に関する受信アンテナの数のうちの少なくとも１つを具備する、請求項１０に記載の装置。
【請求項１２】
前記情報は、前記ＭＩＭＯ送信を送信するための１つ又は複数のデバイス及び前記ＭＩＭＯ送信を受信するための１つ又は複数のデバイスの識別を具備する、請求項１０に記載の装置。
【請求項１３】
送信機会における並列の多入力多出力（ＭＩＭＯ）送信に関する情報を含む開始フレームを受信するためのロジックと、ここにおいて、前記開始フレームは前記ＭＩＭＯ送信の開始時間を示し、送信機ごとに送信パワーの必要条件を指定する、ここにおいて、前記送信パワーの必要条件は少なくとも１つの送信機における送信パワーの低減を含む、
前記開始フレームに含まれる前記情報に従って、１つ又は複数の並列ＭＩＭＯストリームを送信するためのロジックと、
を具備し、
前記ＭＩＭＯ送信はサウンディングフレームを具備し、前記サウンディングフレームに基づいて生成されるビームフォーミング行列またはチャネル行列のうちの少なくとも１つを受信することをさらに具備する無線通信のための装置。
【請求項１４】
前記情報は、各ＭＩＭＯ送信に関する空間ストリームの数、各ＭＩＭＯ送信に関する送信アンテナの数、及び各ＭＩＭＯ送信に関する受信アンテナの数のうちの少なくとも１つを具備する、請求項１３に記載の装置。
【請求項１５】
前記情報は、前記ＭＩＭＯ送信を送信するための１つ又は複数のデバイス及び前記ＭＩＭＯ送信を受信するための１つ又は複数のデバイスの識別を具備する、請求項１３に記載の装置。
【請求項１６】
前記ＭＩＭＯ送信は、サウンディングフレームを具備する、請求項１３に記載の装置。
【請求項１７】
前記サウンディングフレームに基づいて生成されるビームフォーミング行列又はチャネル行列のうちの少なくとも１つを受信するためのロジックを更に具備する、請求項１６に記載の装置。
【請求項１８】
送信機会における並列の多入力多出力（ＭＩＭＯ）送信に関する情報を含む開始フレームを受信するためのロジックと、ここにおいて、前記開始フレームは前記ＭＩＭＯ送信の開始時間を示し、送信機ごとに送信パワーの必要条件を指定する、ここにおいて、前記送信パワーの必要条件は少なくとも１つの送信機における送信パワーの低減を含む、
前記開始フレームに含まれる前記情報に従って、１つ又は複数の並列ＭＩＭＯストリームを受信するためのロジックと、
を具備し、
前記ＭＩＭＯ送信はサウンディングフレームを具備し、前記サウンディングフレームに基づいて生成されるビームフォーミング行列またはチャネル行列のうちの少なくとも１つを受信することをさらに具備する無線通信のための装置。
【請求項１９】
前記情報は、各ＭＩＭＯ送信に関する空間ストリームの数、各ＭＩＭＯ送信に関する送信アンテナの数、及び各ＭＩＭＯ送信に関する受信アンテナの数のうちの少なくとも１つを具備する、請求項１８に記載の装置。
【請求項２０】
前記開始フレームに含まれる前記情報に従って、前記１つ又は複数の並列ＭＩＭＯストリームを受信するためのロジックは、前記情報で識別される空間ストリームの合計数に対応するアンテナの数を利用してＭＩＭＯストリームを受信するためのロジックを具備する、請求項１９に記載の装置。
【請求項２１】
前記ＭＩＭＯ送信は、サウンディングフレームを具備する、請求項１８に記載の装置。
【請求項２２】
前記サウンディングフレームに基づいて生成されるビームフォーミング行列又はチャネル行列のうちの少なくとも１つを受信するためのロジックを更に具備する、請求項２１に記載の装置。
【請求項２３】
送信機会における並列の多入力多出力（ＭＩＭＯ）送信に関する情報を含む開始フレームを送信するための手段と、ここにおいて、前記開始フレームは前記ＭＩＭＯ送信の開始時間を示し、送信機ごとに送信パワーの必要条件を指定する、ここにおいて、前記送信パワーの必要条件は少なくとも１つの送信機における送信パワーの低減を含む、
前記開始フレームに含まれる前記情報に従って、１つ又は複数の並列ＭＩＭＯストリームを送信するための手段と、
を具備し、
前記ＭＩＭＯ送信はサウンディングフレームを具備し、前記サウンディングフレームによって提供されるフィードバックは、ビームフォーミング行列またはチャネル行列のうちの少なくとも１つを具備する無線通信のための装置。
【請求項２４】
送信機会における並列の多入力多出力（ＭＩＭＯ）送信に関する情報を含む開始フレームを受信するための手段と、ここにおいて、前記開始フレームは前記ＭＩＭＯ送信の開始時間を示し、送信機ごとに送信パワーの必要条件を指定する、ここにおいて、前記送信パワーの必要条件は少なくとも１つの送信機における送信パワーの低減を含む、
前記開始フレームに含まれる前記情報に従って、１つ又は複数の並列ＭＩＭＯストリームを送信するための手段と、
を具備し、
前記ＭＩＭＯ送信はサウンディングフレームを具備し、前記サウンディングフレームに基づいて生成されるビームフォーミング行列またはチャネル行列のうちの少なくとも１つを受信することをさらに具備する無線通信のための装置。
【請求項２５】
送信機会における並列の多入力多出力（ＭＩＭＯ）送信に関する情報を含む開始フレームを受信するための手段と、ここにおいて、前記開始フレームは前記ＭＩＭＯ送信の開始時間を示し、送信機ごとに送信パワーの必要条件を指定する、ここにおいて、前記送信パワーの必要条件は少なくとも１つの送信機における送信パワーの低減を含む、
前記開始フレームに含まれる前記情報に従って、１つ又は複数の並列ＭＩＭＯストリームを受信するための手段と、
を具備し、
前記ＭＩＭＯ送信はサウンディングフレームを具備し、前記サウンディングフレームに基づいて生成されるビームフォーミング行列またはチャネル行列のうちの少なくとも１つを受信することをさらに具備する無線通信のための装置。
【請求項２６】
前記情報はＭＩＭＯ送信ごとの受信アンテナの数を具備する、請求項１の方法。
【請求項２７】
前記情報はＭＩＭＯ送信ごとの受信アンテナの数を具備する、請求項７の装置。
【請求項２８】
前記情報はＭＩＭＯ送信ごとの受信アンテナの数を具備する、請求項１０の装置。
【請求項２９】
前記情報はＭＩＭＯ送信ごとの送信アンテナの数を具備する、請求項１８の装置。
【請求項３０】
請求項１〜９および２６〜２７のうちの１項に記載の方法をコンピュータに実行させる、プログラム。
【請求項３１】
プログラムを記録したコンピュータ読取可能な記憶媒体であって、前記プログラムは、請求項１〜９および２６〜２７のうちの１項に記載の方法をコンピュータに実行させる、コンピュータ読取可能な記憶媒体。
【発明の詳細な説明】
【技術分野】
【０００１】
[優先権の主張]
本願は、本出願人にその権利が譲渡され、本願において参照として組み込まれる米国特許仮出願番号第６１／１５２，５５７号（２００９年２月１３日に出願された「分散ＭＩＭＯ」）の利益を主張している。
【０００２】
本開示は、一般的には、通信に関し、さらに詳細には、分散された多入力多出力（ＭＩＭＯ）システムに関する。
【背景技術】
【０００３】
空間分割多元接続（ＳＤＭＡ：Spatial Division Multiple Access）のような、いくつかの無線技術は、複数（multiple）の送信に衝突を生じさせることなく並列して行なわれることを可能にする。そのような技術の潜在的なアプリケーション（application）は、複数のビデオストリームを並列に分散することである。例えば、ビデオストリームは、ＭＰＥＧ１（Moving Picture Expert Group 1）を使用する標準画質テレビ（ＳＤＴＶ）に関しては２Ｍｂｐｓであり、ＭＰＥＧ２を使用する高精細度テレビ（ＨＤＴＶ）に関しては８〜２５Ｍｂｐｓであり、ブルーレイ（Blu-ray）（登録商標）に関しては５４Ｍｂｐｓまででありうる。
【０００４】
あるアプリケーションでは、ビデオストリームが、多入力多出力（ＭＩＭＯ）技術を使用して送信されうる。ＭＩＭＯは、一般に複数の送信アンテナから複数の受信アンテナへの同時送信を称する。
【発明の概要】
【０００５】
ある実施形態は、無線通信のための方法を提供する。その方法は、一般に、送信機会における並列の多入力多出力（ＭＩＭＯ）送信に関する情報を含む開始フレームを送信することと、開始フレームに含まれる情報に従って、１つ又は複数の並列ＭＩＭＯストリームを送信することとを含む。
【０００６】
ある実施形態は、無線通信のための方法を提供する。その方法は、一般に、送信機会における並列の多入力多出力（ＭＩＭＯ）送信に関する情報を含む開始フレームを受信することと、開始フレームに含まれる情報に従って、１つ又は複数の並列ＭＩＭＯストリームを送信することとを含む。
【０００７】
ある実施形態は、無線通信のための方法を提供する。その方法は、一般に、送信機会における並列の多入力多出力（ＭＩＭＯ）送信に関する情報を含む開始フレームを受信することと、該開始フレームに含まれる該情報に従って、１つ又は複数の並列ＭＩＭＯストリームを受信することとを含む。
【０００８】
ある実施形態は、無線通信のための装置を提供する。その装置は、一般に、送信機会における並列の多入力多出力（ＭＩＭＯ）送信に関する情報を含む開始フレームを送信するためのロジックと、開始フレームに含まれる情報に従って、１つ又は複数の並列ＭＩＭＯストリームを送信するためのロジックとを含む。
【０００９】
ある実施形態は、無線通信のための装置を提供する。その装置は、一般に、送信機会における並列の多入力多出力（ＭＩＭＯ）送信に関する情報を含む開始フレームを受信するためのロジックと、開始フレームに含まれる情報に従って、１つ又は複数の並列ＭＩＭＯストリームを送信するためのロジックとを含む。
【００１０】
ある実施形態は、無線通信のための装置を提供する。その装置は、一般に、送信機会における並列の多入力多出力（ＭＩＭＯ）送信に関する情報を含む開始フレームを受信するためのロジックと、開始フレームに含まれる情報に従って、１つ又は複数の並列ＭＩＭＯストリームを受信するためのロジックとを含む。
【００１１】
ある実施形態は、無線通信のための装置を提供する。その装置は、一般に、送信機会における並列の多入力多出力（ＭＩＭＯ）送信に関する情報を含む開始フレームを送信するための手段と、開始フレームに含まれる情報に従って、１つ又は複数の並列ＭＩＭＯストリームを送信するための手段とを含む。
【００１２】
ある実施形態は、無線通信のための装置を提供する。その装置は、一般に、送信機会における並列の多入力多出力（ＭＩＭＯ）送信に関する情報を含む開始フレームを受信するための手段と、開始フレームに含まれる情報に従って、１つ又は複数の並列ＭＩＭＯストリームを送信するための手段とを含む。
【００１３】
ある実施形態は、無線通信のための装置を提供する。その装置は、一般に、送信機会における並列の多入力多出力（ＭＩＭＯ）送信に関する情報を含む開始フレームを受信するための手段と、開始フレームに含まれる情報に従って、１つ又は複数の並列ＭＩＭＯストリームを受信するための手段とを含む。
【００１４】
ある実施形態は、命令のセットをその上に記憶されたコンピュータ可読媒体を具備する、無線通信のためのコンピュータプログラム製品を提供し、命令のセットは、１つ又は複数のプロセッサによって実行可能である。命令のセットは、一般に、送信機会における並列の多入力多出力（ＭＩＭＯ）送信に関する情報を含む開始フレームを送信するための命令と該開始フレームに含まれる情報に従って、１つ又は複数の並列ＭＩＭＯストリームを送信するための命令とを含む。
【００１５】
ある実施形態は、命令のセットをその上に記憶されたコンピュータ可読媒体を具備する、無線通信のためのコンピュータプログラム製品を提供し、命令のセットは、１つ又は複数のプロセッサによって実行可能である。該命令のセットは、一般に、送信機会における並列の多入力多出力（ＭＩＭＯ）送信に関する情報を含む開始フレームを受信するための命令と、開始フレームに含まれる情報に従って、１つ又は複数の並列ＭＩＭＯストリームを送信するための命令とを含む。
【００１６】
ある実施形態は、命令のセットをその上に記憶されたコンピュータ可読媒体を具備する、無線通信のためのコンピュータプログラム製品を提供し、命令のセットは、１つ又は複数のプロセッサによって実行可能である。命令のセットは、一般に、送信機会における並列の多入力多出力（ＭＩＭＯ）送信に関する情報を含む開始フレームを受信するための命令と、開始フレームに含まれる情報に従って、１つ又は複数の並列ＭＩＭＯストリームを受信するための命令とを含む。
【００１７】
本開示の上記特徴が詳細に理解されうるように、上で簡単に要約された本開示のより詳しい説明は実施形態によって参照することができ、その一部は添付図面に例示されている。しかしながら、添付図面は、ある例示的な実施形態のみを例示しており、それゆえにその範囲を限定しているとはみなされないことに留意されるべきである。なぜなら、本説明は、他の同様に有効な実施形態に対しても通用するからである。
【図面の簡単な説明】
【００１８】
【図１】図１は、本開示のある実施形態に従って、空間分割多元接続ＭＩＭＯ無線システムを例示する。
【図２】図２は、本開示のある実施形態に従って、アクセスポイントと２つのユーザ端末のブロック図を例示する。
【図３】図３は、本開示のある実施形態に従って、無線デバイスで利用されうる様々なコンポーネントを例示する。
【図４】図４は、本開示の実施形態が利用されうる実例的な環境を例示する。
【図５】図５は、本開示のある実施形態による実例的な（ＭＩＭＯ）システムを例示する。
【図６】図６は、本開示のある実施形態による並列ＭＩＭＯ送信に関する実例的な動作を例示する。
【図６Ａ】図６Ａは、図６に例示される動作を実行可能な実例的なコンポーネントを例示する。
【図７】図７は、本開示のある実施形態による実例的なＭＩＭＯ送信の交換を例示する。
【図８】図８は、本開示のある実施形態による実例的な（ＭＩＭＯ）システムを例示する。
【図９】図９は、本開示のある実施形態による実例的なサウンディング技術（sounding technique）を例示する。
【図１０】図１０は、本開示のある実施形態による実例的なサウンディング技術を例示する。
【図１１】図１１は、本開示のある実施形態による実例的なサウンディング技術を例示する。
【図１２】図１２は、本開示のある実施形態による実例的なサウンディング技術を例示する。
【図１３】図１３は、本開示のある実施形態による実例的なサウンディング技術を例示する。
【図１４】図１４は、本開示のある実施形態による実例的な（ＭＩＭＯ）システムを例示する。
【図１５】図１５は、本開示のある実施形態による、明確なサウンディングなしでチャネル行列を得るための実例的な技術を例示する。
【図１６】図１６は、本開示のある実施形態による、明確なサウンディングなしでチャネル行列を得るための実例的な技術を例示する図である。
【詳細な説明】
【００１９】
本開示のある実施形態は、分散ＭＩＭＯシステムにおいて利用される技術及び装置を提供する。
【００２０】
実例無線通信システム
「例示的」という用語は、本明細書では、「例、実例、及び例証を提供する」という意味で用いられる。本明細書で「例示的」であると記述された任意の実施形態又は、他の実施形態に対して、必ずしも好ましい又は有利であるようには解釈されない。
【００２１】
ここに記述されるマルチアンテナ送信技術は、符号分割多元接続（ＣＤＭＡ）、直交周波数分割多元接続（ＯＦＤＭＡ）、時分割多元接続（ＴＤＭＡ）などのような、様々な無線技術との組み合わせで使用されうる。複数のユーザ端末が、異なる（１）ＣＤＭＡのための直交符号チャネル、（２）ＴＤＭＡのための時間スロット、あるいは（３）ＯＦＤＭのための副帯域、を介して同時にデータを送信／受信する。ＣＤＭＡシステムは、ＩＳ−２０００、ＩＳ−９５、ＩＳ−８５６、広帯域ＣＤＭＡ（Ｗ−ＣＤＭＡ）、あるいは何か他の標準規格をインプリメント（implement）しうる。ＯＦＤＭＡシステムは、ＩＥＥＥ８０２．１１あるいは何か他の標準規格をインプリメントしうる。ＴＤＭＡシステムは、ＧＳＭ（登録商標）あるいは何か他の標準規格をインプリメントしうる。これらの様々な通信規格が、当該技術分野で知られている。
【００２２】
図１は、アクセスポイント及びユーザ端末を備えた多元接続ＭＩＯＭシステム１００を示す。簡単化のために、１つのアクセスポイント１１０のみが図１で示されている。アクセスポイントは、一般にユーザ端末と通信する固定局であり、また、基地局、あるいは何か他の用語として称されうる。アクセスポイントはまた、移動局でありうる。この場合、それは、グループ・オーナー（group owner）と称されうる。ユーザ端末は、固定又は移動可能でありうる、そしてまた、移動局、無線デバイス、クライアント、あるいは何か他の用語として称されうる。アクセスポイント１１０は、ダウンリンク及びアップリンク上で、いつ何時でも１つ又は複数のユーザ端末１２０と通信しうる。ダウンリンク（即ち、順方向リンク）は、アクセスポイントからユーザ端末への通信リンクであり、アップリンク（即ち、逆方向リンク）は、ユーザ端末からアクセスポイントへの通信リンクである。
【００２３】
ユーザ端末はまた、別のユーザ端末とピア・ツー・ピア通信しうる。例えば、例示されている例では、ＵＴ １２０ｅ、１２０ｆ、１２０ｇ、１２０ｈ、及び１２０ｉが、ピア・ツー・ピア・リンクを用いて示される。これらのＵＴはまた、ＵＴとのピア・ツー・ピア・リンクに加えて、ＡＰとのリンクを有しうる。
【００２４】
下記開示のいくつかの部分では、ＳＤＭＡによって通信可能なユーザ端末１２０について説明するが、ある実施形態では、ユーザ端末１２０はまた、ＳＤＭＡをサポートしないユーザ端末を含むこともありうる。従って、そのような実施形態に関しては、ＡＰ １１０が、ＳＤＭＡ及び非ＳＤＭＡのユーザ端末の両方と通信するように構成されうる。この手法は、好都合なことに、古いバージョンのユーザ端末（「レガシー」局）を起業内に配備し続けることを可能にして、それらの耐用寿命を延ばすとともに、適切と認められる場合には、新しいＳＤＭＡユーザ端末を導入することを可能にする。
【００２５】
システム１００は、ダウンリンク及びアップリンク上のデータ送信のために複数の送信アンテナ及び複数の受信アンテナを使用する。アクセスポイント１１０は、Ｎａｐ個のアンテナを備えられ、ダウンリンク送信のための多入力（ＭＩ：multiple-input）及びアップリンク送信のための多出力（ＭＯ：multiple-output）を表す。Ｎｕ個の選択されたユーザ端末１２０のセットが、ダウンリンク送信のための多出力及びアップリンク送信のための多入力を集合的に表す。純粋なＳＤＭＡでは、Ｎｕ個のユーザ端末へのデータ・シンボル・ストリームが、何かの手段によって、コード、周波数、あるいは時間で多重化されていない場合には、Ｎａｐ≧Ｎｕ≧１を有することが望ましい。データ・シンボル・ストリームが、ＣＤＭＡを用いて異なるコード・チャネルを使用して多重化されうる場合には、Ｎｕは、Ｎａｐ以上でありうる。各選択されたユーザ端末は、アクセスポイントへユーザ特有（user-specific）データを送信し、及び／又はアクセスポイントからユーザ特有データを受信する。一般に、各選択されたユーザ端末は、１つ又は複数のアンテナ（即ち、Ｎｕｔ≧１）を装備されうる。該Ｎｕ個の選択されたユーザ端末は、同じ又は異なる数のアンテナを有しうる。
【００２６】
ＳＤＭＡシステム１００は、時分割ニ重通信（ＴＤＤ）システムあるいは周波数分割ニ重通信（ＦＤＤ）システムでありうる。ＴＤＤシステムに関して、ダウンリンク及びアップリンクは、同じ周波数帯を共有する。ＦＤＤシステムに関して、ダウンリンク及びアップリンクは、異なる周波数帯を使用する。ＭＩＭＯシステム１００はまた、単一搬送波又は複数の搬送波を利用しうる。各ユーザ端末は、（例えば、費用を抑えるために）単一のアンテナ又は（例えば、追加の費用が支援されうる場合には）複数のアンテナを装備されうる。
【００２７】
図２は、ＭＩＭＯシステム１００におけるアクセスポイント１１０と２つのユーザ端末１２０ｍ及び１２０ｘを示す。アクセスポイント１１０は、アンテナ２２４ａ乃至２２４ｔを装備される。ユーザ端末１２０ｍは、アンテナ２２５ｍａ乃至２２５ｍｕを装備され、ユーザ端末１２０ｘは、アンテナ２５２ｘａ乃至２５２ｘｕを装備される。アクセスポイント１１０は、ダウンリンクでは送信エンティティであり、アップリンクでは受信エンティティである。各ユーザ端末１２０は、アップリンクでは送信エンティティであり、ダウンリクでは受信エンティティである。ここで使用されるように、「送信エンティティ」は、無線チャネルを介してデータを送信することが可能な、独立して動作する装置又はデバイスであり、また「受信エンティティ」は、無線チャネルを介してデータを受信することが可能な、独立して動作する装置又はデバイスである。次の記述では、下付きの「ｄｎ」は、ダウンリンクを表し、下付きの「ｕｐ」は、アップリンクを表す。Ｎｕｐ個のユーザ端末が、アップリンク上での同時送信のために選択され、Ｎｄｎ個のユーザ端末が、ダウンリンク上での同時送信のために選択される。Ｎｕｐは、Ｎｄｎに等しくありうる、又は等しくありえない。また、Ｎｕｐ及びＮｄｎは、静的値（static value）でありうる、あるいは各スケジューリング間隔に関して変化しうる。ビームステアリング（beam steering）あるいは何らかの他の空間処理技術が、アクセスポイント及びユーザ端末で使用されうる。
【００２８】
アップリンク上では、アップリンク送信のために選択された各ユーザ端末において、ＴＸデータプロセッサ２８８が、データソース２８６からのトラフィック・データと、制御装置２８０からの制御データとを受信する。ＴＸデータプロセッサ２８８は、ユーザ端末のために選択されたレートに関連する符号化及び変調スキームに基づいて、該ユーザ端末のためのトラフィック・データを処理し（例えば、符号化する、インタリーブする、及び復調する）、データ・シンボル・ストリームを提供する。ＴＸ空間プロセッサ２９０が、該データ・シンボル・ストリームに対して空間処理を実行し、アンテナに送信シンボル・ストリームを提供する。各送信機ユニット（ＴＭＴＲ）２５４は、アップリンク信号を生成するために、それぞれの送信シンボル・ストリームを受信及び処理する（例えば、アナログに変換する、増幅する、フィルタに掛ける、及び周波数アップコンバートする（frequency upconverts））。送信機ユニット２５４は、アンテナ２５２からアクセスポイントへの送信のためにアップリンク信号を提供する。
Ｎｕｐ個のユーザ端末が、アップリンク上の同時送信のためにスケジュールされうる。これらのユーザ端末の各々は、そのデータ・シンボル・ストリームに対して空間処理を実行し、その送信シンボル・ストリームのセットをアップリンク上でアクセスポイントに送信する。
アクセスポイント１１０では、アンテナ２２４ａ乃至２２４ａｐが、アップリンク上で送信している全Ｎｕｐ個のユーザ端末からアップリンク信号を受信する。各アンテナ２２４は、受信された信号をそれぞれの受信機ユニット（ＲＣＶＲ）２２２に提供する。各受信機ユニット２２２は、送信機ユニット２５４によって実行されるものと相補的な処理を実行し、受信されたシンボル・ストリームを提供する。ＲＸ空間プロセッサ２４０は、受信機ユニット２２２からの受信されたシンボル・ストリームに対して受信機空間処理を実行し、Ｎｕｐ個の回復されたアップリンク・データ・シンボル・ストリームを提供する。該受信機空間処理は、チャネル相関行列反転（ＣＣＭＩ：channel correlation matrix inversion）、最小平均二乗誤差（ＭＭＳＥ：minimum mean square error）、軟判定干渉除去（ＳＩＣ：soft interference cancellation）、あるいは何か他の技術に従って実行される。各回復されたアップリンク・データ・シンボル・ストリームは、それぞれのユーザ端末によって送信されたデータ・シンボル・ストリームの推定である。ＲＸデータプロセッサ２４２は、復号化されたデータを得るために、そのストリームのために使用されたレートに従って、各回復されたアップリンク・データ・シンボル・ストリームを処理する（例えば、復調する、デインタリーブ（deinterleaves）する、及び復号化する）。各ユーザ端末に関する復号化されたデータは、記憶するためにデータシンク２４４及び／又は更なる処理のために制御装置２３０に提供されうる。
【００２９】
ダウンリンク上では、アクセスポイント１１０において、ＴＸデータプロセッサ２１０が、ダウンリンク送信のためにスケジュールされるＮｄｎ個のユーザ端末のために、データソース２０８からのトラフィック・データと、制御装置２３０からの制御データと、事によるとスケジューラ２３４からの他のデータを受信する。様々なタイプのデータは、異なるトランスポート・チャネル上で伝送されうる。ＴＸデータプロセッサ２１０は、そのユーザ端末のために選択されたレートに基づいて、各ユーザ端末のためのトラフィック・データを処理する（例えば、符号化する、インタリーブする、及び変調する）。ＴＸデータプロセッサ２１０は、Ｎｄｎ個のユーザ端末のためにＮｄｎ個のダウンリンク・データ・シンボル・ストリームを提供する。ＴＸ空間プロセッサ２２０は、Ｎｄｎ個のダウンリンク・データ・シンボル・ストリームに対して（本開示で記述されるような、プリコーディング又はビームフォーミングなどの）空間処理を実行し、アンテナに送信シンボル・ストリームを提供する。各送信機ユニット２２２は、ダウンリンク信号を生成するために、それぞれの送信シンボル・ストリームを受信及び処理する。送信機ユニット２２２は、アンテナ２２４からユーザ端末への送信のためにダウンリンク信号を提供する。
【００３０】
各ユーザ端末１２０では、アンテナ２５２が、アクセスポイント１１０からのダウンリク信号を受信する。各受信機ユニット２５４は、関連するアンテナ２５２から受信された信号を処理し、受信されたシンボル・ストリームを提供する。ＲＸ空間プロセッサ２６０は、受信機ユニット２５４からの受信されたシンボル・ストリームに対して受信機空間処理を実行し、ユーザ端末に回復されたダウンリンク・データ・シンボル・ストリームを提供する。該受信機空間処理は、ＣＣＭＩ、ＭＭＳＥ、又は何か他の技術に従って実行される。ＲＸデータプロセッサ２７０が、ユーザ端末のために復号化されたデータを得るために、回復されたダウンリンク・データ・シンボル・ストリームを処理する（例えば、復調する、デインタリーブする、及び復号化する）。
【００３１】
各ユーザ端末１２０では、チャネル推定器２７８が、ダウンリンク・チャネル応答を推定してダウンリンク・チャネル推定を提供し、それは、チャネル利得推定、ＳＮＲ推定、雑音分散（noise variance）などを含みうる。同様に、チャネル推定器２２８は、アップリンク・チャネル応答を推定してアップリンク・チャネル推定を提供する。各ユーザ端末のための制御装置２８０は、例示的に、そのユーザ端末のためダウンリンク・チャネル応答行列Ｈｄｎ,ｍに基づいて、該ユーザ端末のための空間フィルタ行列を派生する。制御装置２３０は、効果的なアップリンク・チャネル応答行列Ｈｕｐ,ｅｆｆに基づいて、アクセスポイントのための空間フィルタ行列を派生する。各ユーザ端末のための制御装置２８０は、該アクセスポイントにフィードバック情報（例えば、ダウンリンク及び／又はアップリンクの固有ベクトル、固有値、ＳＮＲ推定など）を伝送できる。制御装置２３０及び２８０はまた、それぞれアクセスポイント１１０及びユーザ端末１２０において様々な処理ユニットの動作を制御する。
【００３２】
図３は、無線通信システム１００内で使用されうる無線デバイス３０２で利用されうる様々なコンポーネントを例示する。無線デバイス３０２は、ここに記述される様々な方法をインプリメントするように構成されうるデバイスの例である。無線デバイス３０２は、基地局１０４又はユーザ端末１０６でありうる。
【００３３】
無線デバイス３０２は、無線デバイス３０２の動作を制御するプロセッサ３０４を含みうる。プロセッサ３０４はまた、中央処理ユニット（ＣＰＵ）と称されうる。読み出し専用メモリ（ＲＯＭ）及びランダム・アクセス・メモリ（ＲＡＭ）の両方を含みうるメモリ３０６は、プロセサ３０４に命令及びデータを提供する。メモリ３０６の一部はまた、不揮発性ランダム・アクセス・メモリ（ＮＶＲＡＭ）を含みうる。プロセッサ３０４は、例示的にメモリ３０６内に記憶されたプログラム命令に基づいて、論理的及び算術的な動作を実行する。メモリ３０６中の命令は、ここに記述される方法をインプリメントするために実行可能でありうる。
【００３４】
無線デバイス３０２はまた、無線デバイス３０２と遠隔地との間で、データの送信及び受信を可能にするために、送信機３１０及び受信機３１２を含むことができるハウジング（housing）３０８を含みうる。送信機３１０及び受信機３１２は、トランシーバ３１４中に結合されうる。単一又は複数の送信アンテナ３１６が、ハウジング３０８に取り付けられ、トランシーバ３１４に電気的に結合されうる。無線デバイス３０２はまた、複数の送信機、複数の受信機、及び複数のトランシーバ（図示せず）を含みうる。
【００３５】
無線デバイス３０２はまた、トランシーバ３１４によって受信された信号のレベルを量子化（quantify）及び検出するために使用されうる信号検出器３１８を含みうる。信号検出器３１８は、全体のエネルギー、シンボル当たりのサブキャリア当たりのエネルギー（energy per subcarrier per symbol）、パワー・スペクトル密度及び他の信号として、そのような信号を検出できる。無線デバイス３０２はまた、信号を処理するために用いられるデジタル信号プロセッサ（ＤＳＰ）３２０を含みうる。
【００３６】
無線デバイス３０２の様々なコンポーネントは、バスシステム３２２によって結合されることができ、それはデータバスに加えて、ステータス信号バス、パワーバス及び制御信号バスを含みうる。
【００３７】
図１−３で示される無線システムは、アクセスポイントにおけるアンテナが十分に異なる方向に配置されるＳＤＭＡシステムを参照でき、それは、異なるユーザ端末に専用の同時に送信される空間ストリームの間で干渉がないことを保証する。本開示のある実施形態に関して、図１−３で示された無線通信システムは、送信信号のプリコーディング（ビームフォーミング）が適合され、異なるユーザ端末に専用の空間ストリームの間に直行性を提供するマルチユーザ・システムを参照でき、一方で該アクセスポイントのアンテナは、必ずしも十分に異なる方向に配置される必要はない。
【００３８】
［分散ＭＩＭＯ］
本開示のある実施形態は、分散ＭＩＭＯシステムにおいて利用されうる技術及び装置を提供する。上に記述されたように、ＭＩＭＯは、一般に複数の送信アンテナから複数の受信アンテナへの同時送信を称する。ＩＥＥＥ８０２．１１ｎ規格は、例えば、複数の送信アンテナが１つのユーザに属するＭＩＭＯ送信を指定する。ＭＩＭＯは、幅広い様々な無線アプリケーションにおいて使用されうる。
【００３９】
例えば、ホーム（home）環境では、オーディオ／ビデオ（ＡＶ）トラフィックが幾つかのソース及び宛先の間で交換されうる。図４に例示されるように、インターネットへの有線接続と共に例示的に示されるアクセスポイント（ＡＰ）４０２は、第１の部屋４１０におけるブルーレイ（Blu-ray）・プレーヤー４１２、モニター（スクリーン）４１６、及びデジタル・ビデオ・レコーダー（ＤＶＲ）４１８、第２の部屋４２０に配置されるスクリーン４２６及びオーディオ・デバイス４２８、及び第３の部屋４３０における統合されたスクリーンとスピーカを有するデバイス４３６などの、様々なデバイスにメディアをストリームできる。該ＡＰは、例えば、ケーブル・モデム、セット・トップ・ボックス（set-top box）、ルーター、あるいは同様のものでありうる。
【００４０】
例示されるように、ＡＰと接続されるデバイスは、様々な他のデバイスにストリームできる。例えば、プレーヤー４１２は、スクリーン４１６及びスピーカ４１４にストリームでき、該ＤＶＲは、スクリーン４２６及びオーディオ・デバイス４２８にストリームできる。あるデバイスは、ストリームのソース及び受信機の両方でありうる。
【００４１】
図４に例示されるように、データは、分散ＭＩＭＯ送信機会（ＴＸＯＰｓ）の間に、同じチャネル上で並列して複数のソースから複数の宛先へ伝送されうる。下記の開示では、分散ＭＩＭＯ ＴＸＯＰｓはまた、ＭＩＭＯ ＴＸＯＰｓ、又は簡単にＴＸＯＰｓと称されうる。
【００４２】
本開示のある実施形態に従って、ＭＩＭＯ ＴＸＯＰの開始が、開始フレームによって示されることができ、それは、（ＭＩＭＯ ＴＸＯＰにおける送信をスケジュールする目的のためにマスター役割（master role）を引き受ける、）ネットワークにおける該ＡＰ又は別のデバイスによって送信されうる。
【００４３】
開始フレームは、保留中の（pending）ＴＸＯＰの間のデバイス間のＭＩＭＯ送信の様々なパラメータを指定できる。例えば、開始フレームは、保留中のＴＸＯＰの間の送信機及び受信機、それらが使用できる空間ストリーム、最大のＴＸＯＰ持続時間、及び事によると、ブロック肯定応答（ＢＡｓ）のような、応答フレームのタイミングを指定できる。開始フレームはまた、複数の送信機の間で送信の開始を同期できる。
【００４４】
特定の例に関して下記に記述されるよう、ＴＸＯＰの間、各送信機は、他の受信機によって受信されるパワーを最小限にするように試みると同時に、その意図される受信機にビームフォーミングを使用してデータを送信できる。代わりとして、送信機は、所定セットの空間ストリーム上でデータを伝送でき、それは、該意図される受信機によってフィルタされうる。
【００４５】
下記においてさらに詳細に記述されるように、送信（Ｔｘ）及び受信（Ｒｘ）アンテナの数は、これらの場合の各々で異なりうる。加えて、送信機と各々の宛先との間のチャネル状態は、例えば、各々の受信機から適切な送信を受信することによって暗示的に、あるいは各々の受信機からチャネル行列又は同様のものを受信することによって明示的に、のどちらかで、該送信機において既知でありうる。
【００４６】
下記の記述では、開始フレームでＴＸＯＰを開始するＡＰが参照されうる。しかしながら、ＴＸＯＰ内でＭＩＭＯ送信をスケジューリングすることのマスター役割（master role）は、ＡＰ及び／又はスケジューリングが可能な任意の局のどちらかに存在しうることが理解されるべきである。更に、ネットワークは、複数のこのようなマスター・デバイスを含みうる。
【００４７】
図５は、実例的なＭＩＭＯシステムを例示し、ここでＡＰ ５０４は、３つの局５０２（ＳＴＡ５−ＳＴＡ７）に並列ＭＩＭＯストリームを送信し、また１つの局（ＳＴＡ１）は、別の局（ＳＴＡ８）に並列ＭＩＭＯストリームを送信する。該例示されるＡＰ及び局は、例えば、図４のシステムで例示されたコンポーネントに対応できる。
【００４８】
ある実施形態によれば、ＴＸＯＰの間に並列ＭＩＭＯ送信に参加することを許可される局が、選択されることができ、それらの送信パラメータは、例えば、マスター・デバイスとして機能するＡＰ又は非ＡＰ（non-AP）局によって制御されうる。
【００４９】
例えば、分散ＴＸＯＰの間に受信機における近遠問題（near-far problems）を防ぐために、２次信号は、ある閾値によって、１次信号よりも強くあるべきではない。ここで使用されるように、１次信号という用語は、一般にソース送信機からの信号を指し、一方で、２次信号という用語は、一般に分散ＴＸＯＰの間の他の送信機からの信号を指す。信号強度の測定単位は、ここでは受信信号強度インジケータ（ＲＳＳＩ）と称されうる。
【００５０】
マスター・デバイスは、分散ＴＸＯＰのために送信機及び受信機をスケジューリングするときに、信号強度の必要条件を考慮に入れうる。この目的のために、該マスター・デバイスは、全ての受信デバイスから受信信号強度インジケーション（ＲＳＳＩ）リストを周期的に要求できる。該ＲＳＳＩリストは、ＲＳＳＩリスト要求にリストされたデバイスに関する該受信機でのＲＳＳＩを含みうる。受信デバイスが、複数の受信アンテナを有する場合には、それは、全てのアンテナにわたって最大のＲＳＳＩ、又は全てのアンテナ上の平均ＲＳＳＩを報告でき、ここで平均化は、（例えば、対数値に対してよりも）線形パワー値（linear power values）に対して行なわれうる。
【００５１】
ＲＳＳＩリスト要求を伝送する前に、マスター・デバイスは、送信機にフレームを送信するように要求でき、該受信機に現在のチャネル状態下でのＲＳＳＩを測定してＲＳＳＩリストを組み立てる（assemble）ことを可能にしている。ある実施形態に従って、ＲＳＳＩリストを得ることは、チャネル行列を得ることと組み合わされうる（即ち、それはサウンディングと組み合わされうる）。
【００５２】
従って、ＴＸＯＰの間のＭＩＭＯ送信にどのデバイスが参加できるかを指定することに加えて、開始フレームはまた、各送信機に関するＴＸパワーの必要条件を指定できる。この方法では、マスター・デバイスは、分散ＴＸＯＰにおいて、幾つかの送信機に関するＴｘパワーを低減することによって、近遠問題を回避できる。
【００５３】
図６は、本開示のある態様に従って、分散ＭＩＭＯシステムにおける受信機及び送信機デバイスによって実行されうる実例的な動作６００を例示する。動作６０２及び６０４は、送信デバイスによって実行されることができ、一方で動作６０６−６１０は、受信デバイスによって実行されうる。
【００５４】
６０２では、ＭＩＭＯ送信機会（ＴＸＯＰ）に関する情報を含む開始フレームが受信される（あるいは、デバイスが、マスター・デバイスとして機能する場合には、送信される）。６０４では、データが、ＴＸＯＰの間に１つ又は複数の並列ＭＩＯＭストリームで送信されることができ、該データは、該開始フレームに含まれる情報に従って送信される。
【００５５】
６０６では、（同じ）開始フレームが、受信デバイスによって受信され、６０８では、データが、１つ又は複数の送信機から受信され、該データは、該開始フレームに含まれる情報に従って受信される。オプションとして、６１０では、該受信されたデータは、例えば、該開始フレームからのタイミング情報に従って送信されるブロック肯定応答（ＢＡ）フレームを用いて、肯定応答されうる。
【００５６】
図７は、図６の動作に従って、ＭＩＭＯ送信の実例的な交換を例示する。例示されるように、マスター・デバイスは、分散ＴＸＯＰにおける送信に関する情報を含む開始フレーム７０２を送信できる。ＴＸＯＰの間、送信デバイスは、受信デバイスに並列ＭＩＭＯ送信７０４を伝送できる。受信デバイスは、ＢＡフレーム７０６を用いて、ＴＸＯＰにおいて受信されたデータに肯定応答できる。例示されるように、開始フレーム７０２は、分散ＭＩＭＯ ＴＸＯＰを指定でき、また送信７０４の開始を同期でき、そしてまたＢＡフレーム７０６のタイミングを指定できる。
【００５７】
上記のように、ある実施形態に従って、ＴＸＯＰの間、各送信機は、他の受信機によって受信されるパワーを最小限にするように試みると同時に、その意図される受信機に送信するときにビームフォーミングを利用できる。そのような実施形態では、ＭＩＭＯ ＴＸＯＰの間にアクティブな各々の送信機は、分散ＭＩＭＯ ＴＸＯＰの間に使用された空間ストリーム（ＳＳｓ）の総数と少なくとも同数のＴＸアンテナを利用できる。
【００５８】
各受信機は、図８で例示されるように、その局に送信するために使用された空間ストリームと少なくとも同数のＲｘアンテナを利用できる。例示される例では、ＳＴＡ１は、ＳＴＡ８に２つの空間ストリーム上で送信し、従って、ＳＴＡ８は、２つのＲｘアンテナを用いて受信できる。ＡＰは、１つのストリームを使用してＳＴＡ６及びＳＴＡ７に、及び２つのストリームを使用してＳＴＡ５に送信できる。従って、ＳＴＡ６及びＳＴＡ７は、１つのＲｘアンテナを利用でき、一方でＳＴＡ５は、２つのＲｘアンテナを利用できる。
【００５９】
送信機と各々の受信機との間のチャネル状態情報は、サウンディング（sounding）を通じて決定されうる。サウンディングは、暗示的又は明示的なフィードバックに基づきうる。暗示的なフィードバックでは、各受信機は、チャネルをサウンド（sound）するために十分なロング・トレーニング・フィールド（ＬＴＦｓ：Long Training Fields）を含むフレームを周期的に送信する。該受信機は、自発的に、又はＡＰによって調整されて、そのようにすることができる。
【００６０】
明示的なフィードバックでは、各送信機は、サウンディング・フレームを周期的に送信でき、それに対して各受信機は、該送信機と該局との間のチャネル行列を含むブロードキャスト・フレームを用いて応答できる。該送信機は、図９で例示されるように、自発的にサウンディング・フレーム９１０を送信できる。例示されるように、ソース（ＡＰ又はＳＴＡ１）は、サウンディング・フレーム９１０を送信でき、一方で各受信局は、（例えば、サウンディング・フレーム９１０においてスケジュールされるシーケンシャル順で）それ自体のチャネル行列を用いて応答できる。
【００６１】
代わりとして、送信デバイス（例えば、この例でのＡＰ及び／又はＳＴＡ１）は、サウンディングを調整でき、この場合には、該チャネル行列は、サウンディング・フレーム１０１０に応答して、図１０に例示されるような単一のフレーム１０１２に結合されうる。例示されるように、各フレーム１０１２は、（サウンディング・フレーム１０１０Ａに基づいて決定される）ＡＰとの間のチャネル行列と同様に、（ＳＴＡ１によって伝送されるサウンディング・フレーム１０１０Ｓに基づいて決定される）ＳＴＡ１と応答する局との間のチャネル行列を含みうる。ＳＴＡ１によって伝送されるサウンディング・フレーム１０１０Ｓ及び該応答フレーム１０１２は、ＡＰによって伝送されるサウンディング・フレーム１０１０Ａにおいてスケジュールされるシーケンシャル順で伝送されうる。
【００６２】
ある態様に従って、サウンディング・フレームによって提供されるフィードバックは、チャネル行列を具備できる。代わりに、又は加えて、該フィードバックはまた、（例えば、図１１への参照と共に下に記述されるサウンディング・アプローチが使用されるときに）（圧縮された）ビームフォーミング行列を具備できる。
【００６３】
図１１−１３は、本開示のある実施形態に従って、他の実例的なサウンディング交換を例示し、ここでチャネル行列は、様々なフレームにおいて（局間で個別に、あるいはブロードキャストで）送信されうる。チャネル行列に加えて、各々の送信機に関するＲＳＳＩは、該（複数の）応答フレームに含まれうる。
【００６４】
図１１に例示されるように、サウンディング開始フレーム１１０２に後続して、複数のソース（ＳＴＡ１−ＳＴＡ４）が、それぞれサウンディング・フレーム１１１０を送信できる。各受信機（ＳＴＡ５−ＳＴＡ８）は、開始サウンディング・フレーム１１０２においてスケジュールされるシーケンシャル順で、応答フレームにおいて伝送されるそれらのチャネル行列を用いて応答できる。
【００６５】
図１２に例示されるように、サウンディング開始フレーム１２０２に後続して、複数のソース（ＳＴＡ１−ＳＴＡ４）は、それぞれサウンディング・フレーム１２１０を送信できる。単一の受信機（例えば、この例では、ＳＴＡ６）が、開始サウンディング・フレーム１２０２においてスケジュールされるシーケンシャル順で、各ソースに関するチャネル行列を個々に含むフレーム１２１２を用いて応答できる。
【００６６】
代わりとして、図１３に例示されるように、サウンディング開始フレーム１３０２に後続して、複数のソース（ＳＴＡ１−ＳＴＡ４）は、それぞれサウンディング・フレーム１３１０を送信でき、そして単一の受信機（例えば、この例では、ＳＴＡ６）は、全てのソースに関するチャネル行列を含む、単一のブロードキャスト・フレーム１３１２を用いて応答できる。
【００６７】
ＴＸＯＰの間、送信機は、例えば、開始フレーム又は事前の構成を通じて、事前に受信機によって知られている空間ストリームを送信でき、その後各受信機は、受信することが必要とされる空間ストリームのみをフィルタする。そのような実施形態に従って、各送信機は、それがその上で送信する空間ストリームと少なくとも同数のＴｘアンテナを使用し、各受信機は、ＭＩＭＯ ＴＸＯＰの間に使用された空間ストリームの総数と少なくとも同数のＲｘアンテナを使用できる。
【００６８】
そのような実施形態が、図１４に例示されている。例示された例では、ＳＴＡ１は、ＳＴＡ８に２つの空間ストリーム上で送信し、一方で該ＡＰは、１つのストリームを使用してＳＴＡ６及びＳＴＡ７に、及び２つのストリームを使用してＳＴＡ５に送信し、合計６つのストリームが結果として生じる。従って、該受信局（ＳＴＡ４−ＳＴＡ８）は、全てが６つのＲｘアンテナを使用して受信できる。
【００６９】
上記のように、開始フレームは、送信機の間で送信の開始を同期できる。タインミングを十分に正確に（precise）するために、レンジング（ranging）が必要でありうる。送信は、局が、どのようにして適切な空間ストリームをフィルタするかを決定するのに十分なＬＴＦｓを用いて開始されうるので、別個のサウンディング・シーケンスは、必要でないことがありうる。
【００７０】
従って図１５及び１６は、実例的な実施形態を例示し、ここでチャネル行例は、別個のサウンディング・フレームなしで、フレームにおいて伝送される。図１５で例示されるように、開始フレーム１５０２及びマルチユーザＭＩＭＯ送信１５０４に後続して、局は、ブロック肯定応答１５０６−１５１０を用いて応答できる。例示されるように、幾つかのチャネル行列情報が、（ＢＡ１５０８で示されるように）ブロック肯定応答（ＢＡ）フレームに含まれることができ、一方で他のチャネル行列情報は、（例えば、ＢＡｓの後で）別個のフレーム１５１０において提供されうる。
【００７１】
幾つかの場合では、ＢＡｓは、チャネル行列情報を含まないことができる。例えば、図１６に例示されるように、開始フレーム１６０２及びマルチユーザＭＩＭＯ送信１６０４に後続して、局は、別個のブロック肯定応答１６０６を用いて応答でき、チャネル行列情報を含む別個の応答フレーム１６１０によって後続される。
【００７２】
ある実施形態に従って、分散ＭＩＭＯ ＴＸＯＰに参加可能になる前に、非ＡＰ送信機は、それらの受信機との直接リンクをセットアップ（set up）する。該非ＡＰ送信機（即ち、ＳＴＡ１）は、該ＡＰにこの事実を通知でき、その後、該ＡＰは、分散ＭＩＭＯ ＴＸＯＰｓにＳＴＡ１を含みうる。同様に、非ＡＰ送信機は、非ＡＰ送信機がＴＸＯＰを獲得し、また全てでない利用可能な空間ストリームが使用されているときに、分散ＭＩＭＯ ＴＸＯＰｓに該ＡＰを含みうる。該ＡＰ及び非ＡＰ送信機はまた、他の送信機を含むことなく、それら自体のためにＴＸＯＰｓを依然として使用できる。しかしながら、局のある部分集合（subset）で、送信機の最小の数よりも少ない空間ストリームを使用するＴＸＯＰが獲得されたときには、その場合は、他の送信機を含むことが、全体的効率を改善するであろう。
【００７３】
ある実施形態に従って、非ＡＰ送信機が、分散ＭＩＭＯ ＴＸＯＰｓにＡＰを含むためには、非ＡＰ送信機は、ＡＰに関するアクティブな宛先を認識させられる必要がありうる。同様に、ＡＰが、非ＡＰ送信機を含むためには、ＡＰは、非ＡＰ送信機に関するアクティブな（複数の）宛先を認識させられる必要がありうる。ある実施形態に従って、この情報は、新しく定義されるＴＳＰＥＣｓを通じて、又はアクション・フレームを通じて、あるいは単にＡＰへの直接リンクを通知することによって運搬されうる。
【００７４】
上に記述された方法の様々な動作は、図において例示されたミーンズ・プラス・ファンクション（means-plus-function）ブロックに対応する様々なハードウェア及び／又はソフトウェアの（複数の）コンポーネント及び／又は（複数の）モジュールによって実行されうる。一般に、対応する対のミーンズ・プラス・ファンクション図を有する図に例示される方法があるところでは、動作・ブロックは、同様の番号付けを有するミーンズ・プラス・ファンクション・ブロックに対応している。例えば、図６で例示される動作６０２−６１０は、図６Ａで例示されるミーンズ・プラス・ファンクション・ブロック６０２Ａ−６１０Ａに対応する。
【００７５】
情報及び信号は、様々な異なる科学技術及び専門技術の何れを使用して表されうる。例えば、上の記述の全体にわたって参照されうるデータ、命令、コマンド、情報、信号、及び同様のものは、電圧、電流、電磁波、磁気のフィールド又はパーティクル(particles)、光学のフィールド又はパーティクル、あるいはそれらの任意の組み合わせによって、表わされうる。
【００７６】
本開示に関連して記述された様々な例示的な、論理ブロック、モジュール及び回路は、汎用プロセッサ、デジタル信号プロセッサ（ＤＳＰ）、特定用途向け集積回路（ＡＳＩＣ）、フィールド・プグラマブル・ゲート・アレイ（ＦＰＧＡ）又は他のプログラマブル・ロジック・デバイス、個別のゲート又はトランジスタ・ロジック、個別のハードウェア構成機器、あるいはここに記述された機能を行うために設計されたそれらの任意の組み合わせによってインプリメントされる又は行われうる。汎用プロセッサは、マイクロプロセッサでありうるが、その代わりにおいて、該プロセッサは、何れの商業的に利用可能なプロセッサ、制御装置、マイクロ制御装置又はステート・マシンでありうる。プロセッサはまた、例えば、ＤＳＰとマイクロプロセッサの組み合わせ、複数のマイクロプロセッサ、ＤＳＰのコアと結合している１つ又は複数のマイクロプロセッサ、あるいはその他任意のそのような構成などの、計算デバイスの組み合わせとしてインプリメントされうる。
【００７７】
本開示に関連して記述されるアルゴリズム又は方法のステップは、直接ハードウェアにおいて、プロセッサによって実行されるソフトウェア・モジュールにおいて、あるいは２つの組み合わせにおいて具体化（embodied）されうる。ソフトウェア・モジュールは、当該技術分野において知られている任意の形状の記憶媒体に常駐（reside）できる。使用されうる記憶媒体の一部の例には、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭなどが含まれる。ソフトウェア・モジュールは、単一の命令、又は多くの命令を具備することができ、幾つかの異なるコード・セグメントにわたって、異なるプログラム間で、及び複数の記憶媒体にわたって、分散されうる。記憶媒体は、プロセッサが記憶媒体から情報を読み、またそれに情報を書くことができるように、プロセッサに結合されうる。代わりにおいて、該記憶媒体はプロセッサに統合されうる。
【００７８】
ここに開示された複数の方法は、記述された方法を成し遂げるための１つ以上のステップ又は動作を具備する。方法のステップ及び／又は動作は、請求項の範囲から逸脱することなくお互い置き換えられうる。言い換えれば、ステップ又は動作の特定の順序が指定されない限り、特定のステップ及び／又は動作の順序及び／又は使用は、請求項の範囲から逸脱することなく変更されうる。
【００７９】
該機能は、ハードウェア、ソフトウェア、ファームウェア、又はそれらの任意の組み合わせでインプリメントされうる。ソフトウェアでインプリメントされる場合には、該機能は、コンピュータ可読媒体上に１つ又は複数の命令として記憶されうる。記憶媒体は、コンピュータによってアクセスされうる任意の利用可能な媒体でありうる。限定としてではなく、例として、そのようなコンピュータ可読媒体は、ＲＡＭ、ＲＯＭ、ＥＥＰＲＯＭ、ＣＤ−ＲＯＭ又は他の光ディスク記憶装置、磁気ディスク記憶装置又は他の磁気記憶装置のデバイス、あるいはデータ構造又は命令の形式で望ましいプログラムコードを格納又は搬送するために使用されることができ、またコンピュータによってアクセスされうるその他任意の記憶媒体を具備できる。ここで使用されるディスク（Disk）及びディスク（disc）は、コンパクト・ディスク（ＣＤ）、レーザーディスク（登録商標）、光ディスク、デジタル多目的ディスク（ＤＶＤ）、フロッピー（登録商標）ディスク、及びブルーレイ（登録商標）ディスクを含み、ここでディスク（disks）は、通常磁気的にデータを再生し、一方ディスク（discs）は、レーザーを用いて光学的にデータを再生する。
【００８０】
ソフトウェア又は命令はまた、送信媒体上で送信されうる。例えば、ソフトウェアが、同軸ケーブル、光ファイバーケーブル、ツイストペア、デジタル加入者回線（ＤＳＬ）、又は赤外線、電波、及びマイクロ波のような無線技術を用いてウェブサイト、サーバ、又は他のリモートソースから送信される場合には、同軸ケーブル、光ファイバーケーブル、ツイストペア、ＤＳＬ、又は赤外線、電波、及びマイクロ波のような無線技術は、送信媒体の定義に含まれる。
【００８１】
更に、図面において例示されたような、ここに記述された方法及び技術を行うためのモジュール及び／又は他の適切な手段は、場合に応じて、ダウンロード及び／又は別の方法でモバイル・デバイス及び／又は基地局によって得られうる。例えば、そのようなデバイスは、ここに記述された方法を行う手段の転送（transfer）を容易にするために、サーバに結合されうる。あるいは、ここに記述された様々な方法は、デバイスに記憶手段を提供する又は結合する際に、モバイル・デバイス及び／又は基地局が、様々な方法を得ることができるように、記憶手段（例えば、ランダム・アクセス・メモリ（ＲＡＭ）、読み出し専用メモリ（ＲＯＭ）、コンパクト・ディスク（ＣＤ）又はフロッピー（登録商標）ディスクのような物理的記憶媒体など）によって提供されうる。その上、ここに記述された方法及び技術をデバイスに提供するその他任意の適切な技術が利用されうる。
【００８２】
請求項は、上記に例示された明確な構成及び構成要素に限定されないことが理解されるべきである。様々な修正、変更、及び変化が、上に記述された方法及び装置に関する配置、動作及び詳細において、請求項の範囲から逸脱することなく行われうる。
【００８３】
上述は、本開示の実施形態に関するものであるが、本開示の他の及び更なる実施形態が、それらの基本的な範囲から逸脱することなく考案されることができ、かつそれらの範囲は下記の請求項によって決定される。
以下に、本願出願の当初の特許請求の範囲に記載された発明を付記する。
［Ｃ１］
送信機会における並列の多入力多出力（ＭＩＭＯ）送信に関する情報を含む開始フレームを送信することと、
前記開始フレームに含まれる前記情報に従って、１つ又は複数の並列ＭＩＭＯストリームを送信することと、
を具備する無線通信のための方法。
［Ｃ２］
前記情報は、各ＭＩＭＯ送信に関する空間ストリームの数、各ＭＩＭＯ送信に関する送信アンテナの数、及び各ＭＩＭＯ送信に関する受信アンテナの数のうちの少なくとも１つを具備する、Ｃ１に記載の方法。
［Ｃ３］
前記情報は、前記ＭＩＭＯ送信を送信するための１つ又は複数のデバイス及び前記ＭＩＭＯ送信を受信するための１つ又は複数のデバイスの識別を具備する、Ｃ１に記載の方法。
［Ｃ４］
前記開始フレームは、前記ＭＩＭＯ送信の開始時間を示す、Ｃ１に記載の方法。
［Ｃ５］
前記ＭＩＭＯ送信は、サウンディング・フレームを具備する、Ｃ４に記載の方法。
［Ｃ６］
送信機会における並列の多入力多出力（ＭＩＭＯ）送信に関する情報を含む開始フレームを受信することと、
前記開始フレームに含まれる前記情報に従って、１つ又は複数の並列ＭＩＭＯストリームを送信することと、
を具備する無線通信のための方法。
［Ｃ７］
前記情報は、各ＭＩＭＯ送信に関する空間ストリームの数、各ＭＩＭＯ送信に関する送信アンテナの数、及び各ＭＩＭＯ送信に関する受信アンテナの数のうちの少なくとも１つを具備する、Ｃ６に記載の方法。
［Ｃ８］
前記情報は、前記ＭＩＭＯ送信を送信するための１つ又は複数のデバイス及び前記ＭＩＭＯ送信を受信するための１つ又は複数のデバイスの識別を具備する、Ｃ６に記載の方法。
［Ｃ９］
前記開始フレームは、前記ＭＩＭＯ送信の開始時間を示す、Ｃ６に記載の方法。
［Ｃ１０］
前記ＭＩＭＯ送信は、サウンディング・フレームを具備する、Ｃ９に記載の方法。
［Ｃ１１］
前記サウンディング・フレームに基づいて生成されるビームフォーミング行列又はチャネル行列のうちの少なくとも１つを受信することを更に具備する、Ｃ１０に記載の方法。
［Ｃ１２］
送信機会における並列の多入力多出力（ＭＩＭＯ）送信に関する情報を含む開始フレームを受信することと、
前記開始フレームに含まれる前記情報に従って、１つ又は複数の並列ＭＩＭＯストリームを受信することと、
を具備する無線通信のための方法。
［Ｃ１３］
前記情報は、各ＭＩＭＯ送信に関する空間ストリームの数、各ＭＩＭＯ送信に関する送信アンテナの数、及び各ＭＩＭＯ送信に関する受信アンテナの数のうちの少なくとも１つを具備する、Ｃ１２に記載の方法。
［Ｃ１４］
前記開始フレームに含まれる前記情報に従って、前記１つ又は複数の並列ＭＩＭＯストリームを受信することは、前記情報で識別される空間ストリームの合計数に対応するアンテナの数を利用してＭＩＭＯストリームを受信することを具備する、Ｃ１３に記載の方法。
［Ｃ１５］
前記開始フレームは、前記ＭＩＭＯ送信の開始時間を示す、Ｃ１２に記載の方法。
［Ｃ１６］
前記ＭＩＭＯ送信は、サウンディング・フレームを具備する、Ｃ１５に記載の方法。
［Ｃ１７］
前記サウンディング・フレームに基づいて生成されるビームフォーミング行列又はチャネル行列のうちの少なくとも１つを受信することを更に具備する、Ｃ１６に記載の方法。
［Ｃ１８］
送信機会における並列の多入力多出力（ＭＩＭＯ）送信に関する情報を含む開始フレームを送信するためのロジックと、
前記開始フレームに含まれる前記情報に従って、１つ又は複数の並列ＭＩＭＯストリームを送信するためのロジックと、
を具備する無線通信のための装置。
［Ｃ１９］
前記情報は、各ＭＩＭＯ送信に関する空間ストリームの数、各ＭＩＭＯ送信に関する送信アンテナの数、及び各ＭＩＭＯ送信に関する受信アンテナの数のうちの少なくとも１つを具備する、Ｃ１８に記載の装置。
［Ｃ２０］
前記情報は、前記ＭＩＭＯ送信を送信するための１つ又は複数のデバイス及び前記ＭＩＭＯ送信を受信するための１つ又は複数のデバイスの識別を具備する、Ｃ１８に記載の装置。
［Ｃ２１］
前記開始フレームは、前記ＭＩＭＯ送信の開始時間を示す、Ｃ１８に記載の装置。
［Ｃ２２］
前記ＭＩＭＯ送信は、サウンディング・フレームを具備する、Ｃ２１に記載の装置。
［Ｃ２３］
送信機会における並列の多入力多出力（ＭＩＭＯ）送信に関する情報を含む開始フレームを受信するためのロジックと、
前記開始フレームに含まれる前記情報に従って、１つ又は複数の並列ＭＩＭＯストリームを送信するためのロジックと、
を具備する無線通信のための装置。
［Ｃ２４］
前記情報は、各ＭＩＭＯ送信に関する空間ストリームの数、各ＭＩＭＯ送信に関する送信アンテナの数、及び各ＭＩＭＯ送信に関する受信アンテナの数のうちの少なくとも１つを具備する、Ｃ２３に記載の装置。
［Ｃ２５］
前記情報は、前記ＭＩＭＯ送信を送信するための１つ又は複数のデバイス及び前記ＭＩＭＯ送信を受信するための１つ又は複数のデバイスの識別を具備する、Ｃ２３に記載の装置。
［Ｃ２６］
前記開始フレームは、前記ＭＩＭＯ送信の開始時間を示す、Ｃ２３に記載の装置。
［Ｃ２７］
前記ＭＩＭＯ送信は、サウンディング・フレームを具備する、Ｃ２６に記載の装置。
［Ｃ２８］
前記サウンディング・フレームに基づいて生成されるビームフォーミング行列又はチャネル行列のうちの少なくとも１つを受信するためのロジックを更に具備する、Ｃ２７に記載の装置。
［Ｃ２９］
送信機会における並列の多入力多出力（ＭＩＭＯ）送信に関する情報を含む開始フレームを受信するためのロジックと、
前記開始フレームに含まれる前記情報に従って、１つ又は複数の並列ＭＩＭＯストリームを受信するためのロジックと、
を具備する無線通信のための装置。
［Ｃ３０］
前記情報は、各ＭＩＭＯ送信に関する空間ストリームの数、各ＭＩＭＯ送信に関する送信アンテナの数、及び各ＭＩＭＯ送信に関する受信アンテナの数のうちの少なくとも１つを具備する、Ｃ２９に記載の装置。
［Ｃ３１］
前記開始フレームに含まれる前記情報に従って、前記１つ又は複数の並列ＭＩＭＯストリームを受信するためのロジックは、前記情報で識別される空間ストリームの合計数に対応するアンテナの数を利用してＭＩＭＯストリームを受信するためのロジックを具備する、Ｃ３０に記載の装置。
［Ｃ３２］
前記開始フレームは、前記ＭＩＭＯ送信の開始時間を示す、Ｃ２９に記載の装置。
［Ｃ３３］
前記ＭＩＭＯ送信は、サウンディング・フレームを具備する、Ｃ３２に記載の装置。
［Ｃ３４］
前記サウンディング・フレームに基づいて生成されるビームフォーミング行列又はチャネル行列のうちの少なくとも１つを受信するためのロジックを更に具備する、Ｃ３３に記載の装置。
［Ｃ３５］
送信機会における並列の多入力多出力（ＭＩＭＯ）送信に関する情報を含む開始フレームを送信するための手段と、
前記開始フレームに含まれる前記情報に従って、１つ又は複数の並列ＭＩＭＯストリームを送信するための手段と、
を具備する無線通信のための装置。
［Ｃ３６］
送信機会における並列の多入力多出力（ＭＩＭＯ）送信に関する情報を含む開始フレームを受信するための手段と、
前記開始フレームに含まれる前記情報に従って、１つ又は複数の並列ＭＩＭＯストリームを送信するための手段と、
を具備する無線通信のための装置。
［Ｃ３７］
送信機会における並列の多入力多出力（ＭＩＭＯ）送信に関する情報を含む開始フレームを受信するための手段と、
前記開始フレームに含まれる前記情報に従って、１つ又は複数の並列ＭＩＭＯストリームを受信するための手段と、
を具備する無線通信のための装置。
［Ｃ３８］
無線通信のためのコンピュータプログラムプロダクトであって、
送信機会における並列の多入力多出力（ＭＩＭＯ）送信に関する情報を含む開始フレームを送信するための命令と、
前記開始フレームに含まれる前記情報に従って、１つ又は複数の並列ＭＩＭＯストリームを送信するための命令と、
を備える命令のセットをその上に記憶されたコンピュータ可読媒体を具備し、
前記命令のセットは、１つ又は複数のプロセッサによって実行可能である無線通信のためのコンピュータプログラムプロダクト。
［Ｃ３９］
無線通信のためのコンピュータプログラムプロダクトであって、
送信機会における並列の多入力多出力（ＭＩＭＯ）送信に関する情報を含む開始フレームを受信するための命令と、
前記開始フレームに含まれる前記情報に従って、１つ又は複数の並列ＭＩＭＯストリームを送信するための命令と、
を備える命令のセットをその上に記憶されたコンピュータ可読媒体を具備し、
前記命令のセットは、１つ又は複数のプロセッサによって実行可能である無線通信のためのコンピュータプログラムプロダクト。
［Ｃ４０］
無線通信のためのコンピュータプログラムプロダクトであって、
送信機会における並列の多入力多出力（ＭＩＭＯ）送信に関する情報を含む開始フレームを受信するための命令と、
前記開始フレームに含まれる前記情報に従って、１つ又は複数の並列ＭＩＭＯストリームを受信するための命令と、
を備える命令のセットをその上に記憶されたコンピュータ可読媒体を具備し、
前記命令のセットは、１つ又は複数のプロセッサによって実行可能である無線通信のためのコンピュータプログラムプロダクト。
【図１】
0005650135.tif 000002
【図２】
0005650135.tif 000003
【図３】
0005650135.tif 000004
【図４】
0005650135.tif 000005
【図５】
0005650135.tif 000006
【図６】
0005650135.tif 000007
【図６Ａ】
0005650135.tif 000008
【図７】
0005650135.tif 000009
【図８】
0005650135.tif 000010
【図９】
0005650135.tif 000011
【図１０】
0005650135.tif 000012
【図１１】
0005650135.tif 000013
【図１２】
0005650135.tif 000014
【図１３】
0005650135.tif 000015
【図１４】
0005650135.tif 000016
【図１５】
0005650135.tif 000017
【図１６】
0005650135.tif 000018